(57)【特許請求の範囲】
【請求項１】
熱媒供給源から供給される冷房用又は暖房用の熱媒が循環通流する熱媒通流管が、建物の床下に水平方向に間隔をあけて並設される複数の長尺状の床支持部材にその長手方向に沿う状態でその床支持部材に支持される複数の被支持部と、隣接する前記被支持部同士を接続する複数の接続部とを備えている冷暖房装置であって、
前記被支持部が前記複数の床支持部材のうちの１個おき又は複数個おきの前記床支持部材に支持される状態で配設される前記熱媒通流管が、支持対象となる前記床支持部材が互いに異なり且つ並列に熱媒を通流させる状態で複数備えられ、
前記複数の熱媒通流管を各別に熱媒が供給される状態と熱媒供給が停止される状態とに切り換え自在として、熱媒供給の状態を切り替えて、冷房負荷又は暖房負荷の大きさに対応して前記熱媒供給源から前記熱媒通流管に与える冷房用又は暖房用の熱量を変更する熱媒供給状態切換手段が備えられている冷暖房装置。
【請求項２】
前記被支持部が、
前記床支持部材の長手方向の一端側から他端側に向けて前記床支持部材の横一側面に沿って延びる状態で支持される往路部分と、前記床支持部材の長手方向の他端側にて前記往路部分から前記床支持部材の横他側面側に向けて平面視でループ状に屈曲する水平ループ部分と、前記床支持部材の長手方向の前記他端側から前記一端側に向けて前記床支持部材の横他側面に沿って延びる状態で支持される復路部分とを備えて構成され、
前記被支持部における前記復路部分の前記長手方向の一端側の端部と、それに隣接する前記被支持部における前記往路部分の前記長手方向の一端側の端部とを前記接続部にて接続する状態で、隣接する前記被支持部同士を前記接続部にて接続して一連に連なる熱媒通流経路が形成されている請求項１記載の冷暖房装置。
【請求項３】
前記床支持部材が、横方向の幅よりも縦方向の幅が広幅となる縦長の断面形状となる状態で設けられ、
前記熱媒通流管における前記往路部分及び前記復路部分が、前記床支持部材の横側面における下部側に位置させて支持されている請求項２記載の冷暖房装置。
【請求項４】
前記床支持部材が、
上部側に位置する広幅で且つ断面略四角形状の上側受け部と、下部側に位置する広幅で且つ断面略四角形状の下側受け部と、前記上側受け部と前記下側受け部とを接続する幅狭の中間部とを備えて構成され、
前記熱媒通流管における前記往路部分及び前記復路部分が、前記下側受け部の横側面に支持されている請求項３記載の冷暖房装置。
【発明の詳細な説明】
【技術分野】
【０００１】
本発明は、熱媒供給源から供給される冷房用又は暖房用の熱媒が循環通流する熱媒通流管が、建物の床下に水平方向に間隔をあけて並設される複数の長尺状の床支持部材にその長手方向に沿う状態でその床支持部材に支持される複数の被支持部と、隣接する前記被支持部同士を接続する複数の接続部とを備えている冷暖房装置に関する。
【背景技術】
【０００２】
上記冷暖房装置は、前記熱媒通流管が建物の床下に位置する大引きビーム等の床支持部材に支持される状態で設けられ、熱媒供給源から供給される冷房用又は暖房用の熱媒を熱媒通流管に循環通流することで、床面の上方の居住空間を暖房したりあるいは冷房することができるようにしたものであるが、このような冷暖房装置において、従来では、次のように構成されるものがあった。
【０００３】
すなわち、水平方向に間隔をあけて並設される複数の床支持部材の夫々に支持される前記複数の被支持部と隣接する前記被支持部同士を接続する前記複数の接続部とを備えた１本の熱媒通流管が、建物の床下に設けられる構成となっていた（例えば、特許文献１参照。）。
【０００４】
【特許文献１】特開２００５−１９５３１９号公報
【発明の開示】
【発明が解決しようとする課題】
【０００５】
上記従来構成では、１本の熱媒通流管における複数の被支持部が複数の床支持部材の夫々に支持されるものであるから、熱媒通流管における被支持部が支持されて熱媒による冷房作用又は暖房作用を発揮する箇所が、床面における床支持部材の並び方向において密になるのであり、冷房又は暖房を行うときの冷房負荷又は暖房負荷が大きい場合には、好ましくないものとなる。
【０００６】
しかしながら、冷房又は暖房を行うときの冷房負荷又は暖房負荷が小さい場合には、例えば、熱媒通流管に循環通流する熱媒の供給を断続させることにより熱媒供給源から熱媒通流管に与えられる熱量の調整を行うようにしても、冷房作用又は暖房作用を発揮する箇所が、床面における床支持部材の並び方向において密に存在するものであるため、冷房能力又は暖房能力が過剰になるおそれがある。
【０００７】
その結果、上記従来構成では、冷房負荷又は暖房負荷が大きく変動する状況で使用するときに良好な冷房又は暖房が行えないものとなる不利があった。
【０００８】
本発明の目的は、冷房負荷又は暖房負荷が大きく変動する場合であっても、良好な冷房又は暖房を行うことが可能となる冷暖房装置を提供する点にある。
【課題を解決するための手段】
【０００９】
本発明に係る冷暖房装置は、熱媒供給源から供給される冷房用又は暖房用の熱媒が循環通流する熱媒通流管が、建物の床下に水平方向に間隔をあけて並設される複数の長尺状の床支持部材にその長手方向に沿う状態でその床支持部材に支持される複数の被支持部と、隣接する前記被支持部同士を接続する複数の接続部とを備えているものであって、その第１特徴構成は、
前記被支持部が前記複数の床支持部材のうちの１個おき又は複数個おきの前記床支持部材に支持される状態で配設される前記熱媒通流管が、支持対象となる前記床支持部材が互いに異なり且つ並列に熱媒を通流させる状態で複数備えられ、
前記複数の熱媒通流管を各別に熱媒が供給される状態と熱媒供給が停止される状態とに切り換え自在として、熱媒供給の状態を切り替えて、冷房負荷又は暖房負荷の大きさに対応して前記熱媒供給源から前記熱媒通流管に与える冷房用又は暖房用の熱量を変更する熱媒供給状態切換手段が備えられている点にある。
【００１０】
第１特徴構成によれば、複数の床支持部材のうちの１個おき又は複数個おきの床支持部材に支持される状態で複数の熱媒通流管が備えられており、熱媒供給状態切換手段によって複数の熱媒通流管を各別に熱媒が供給される状態と熱媒供給が停止される状態とに切り換えることができる。
【００１１】
そして、冷房又は暖房を行うときの冷房負荷又は暖房負荷が大きい場合には、複数の熱媒通流管の夫々に熱媒を通流させることで、熱媒による冷房作用又は暖房作用を発揮する箇所を床支持部材の並び方向に密になる状態とすることにより、大きい冷房負荷又は暖房負荷に対応できるものとなる。
【００１２】
一方、冷房又は暖房を行うときの冷房負荷又は暖房負荷が小さい場合には、複数の熱媒通流管のうちのいずれか一部だけのものに熱媒を通流させることで、その一部の熱媒通流管が配備される床支持部材に対応する箇所だけで熱媒による冷房作用又は暖房作用を発揮させることができ、熱媒による冷房作用又は暖房作用を発揮する箇所が床支持部材の並び方向に沿って間引きされた粗い状態となることにより、小さい冷房負荷又は暖房負荷に対応するように冷房用又は暖房用の熱量を低下させることが可能である。
【００１３】
つまり、熱媒供給状態切換手段により複数の熱媒通流管を各別に熱媒が供給される状態と熱媒供給が停止される状態とに切り換えることによって、熱媒供給源から熱媒通流管に与えられる冷房用又は暖房用の熱量を広い範囲で変更させることが可能となる。
【００１４】
従って、第１特徴構成によれば、冷房負荷又は暖房負荷が大きく変動する場合であっても、良好な冷房又は暖房を行うことが可能となる冷暖房装置を提供できるに至った。
【００１５】
本発明の第２特徴構成は、第１特徴構成に加えて、前記被支持部が、
前記床支持部材の長手方向の一端側から他端側に向けて前記床支持部材の横一側面に沿って延びる状態で支持される往路部分と、前記床支持部材の長手方向の他端側にて前記往路部分から前記床支持部材の横他側面側に向けて平面視でループ状に屈曲する水平ループ部分と、前記床支持部材の長手方向の前記他端側から前記一端側に向けて前記床支持部材の横他側面に沿って延びる状態で支持される復路部分とを備えて構成され、
前記被支持部における前記復路部分の前記長手方向の一端側の端部と、それに隣接する前記被支持部における前記往路部分の前記長手方向の一端側の端部とを前記接続部にて接続する状態で、隣接する前記被支持部同士を前記接続部にて接続して一連に連なる熱媒通流経路が形成されている点にある。
【００１６】
第２特徴構成によれば、前記熱媒通流管は長尺状の床支持部材の長手方向に沿う状態で床支持部材に支持される複数の被支持部と、隣接する前記被支持部同士を接続する複数の接続部とを備えて構成される。そして、前記床支持部材に支持される被支持部が、床支持部材の長手方向の一端側から他端側に向けて床支持部材の横一側面に沿って延びる状態で支持される往路部分と、その往路部分に連なり且つ床支持部材の長手方向の他端側にて前記往路部分から床支持部材の下側を経由して床支持部材の横他側面側に向けて平面視でループ状に屈曲する水平ループ部分と、その水平ループ部分に連なり且つ床支持部材の長手方向の前記他端側から前記一端側に向けて床支持部材の横他側面に沿って延びる状態で支持される復路部分とを備える。又、互いに隣接する前記被支持部同士を、一方の前記被支持部における前記復路部分の前記長手方向の一端側の端部と、他方の前記被支持部における前記往路部分の前記長手方向の一端側の端部とを前記接続部にて接続されて一連に連なる熱媒通流経路が形成されるのである。つまり、床支持部材に支持される複数の被支持部が接続部にて互いに接続されて一連に連なる状態で蛇行状の熱媒通流経路が形成されることになる。
【００１７】
上記したように熱媒通流管における被支持部は、前記往路部分、前記水平ループ部分、及び、前記復路部分の夫々により、床支持部材の長手方向に沿って配備され且つ床支持部材の長手方向の端部にて折り返す往復経路を備えるものであるが、その折り返しの際に、平面視でループ状に屈曲する状態で水平ループ部分が形成されるものであるから、例えば床支持部材の下側の広い空間を利用したり、床支持部材の左右両側の広い空間を利用することで、大きくループ状に屈曲して折り返すことができ、その折れ曲がり部分は大きい曲率半径にて曲げることができる。
【００１８】
その結果、熱媒が通流する状態と通流を停止する状態とに切り換わり温度差が発生することにより熱媒通流管が熱収縮を起こすことがあっても、大きい曲率半径で曲げられている湾曲部分において例えば折れ曲がり具合が少し変化するだけでその収縮分を吸収することができ、熱媒通流管に局部的に無理な力がかかることを抑制して、短期間の使用でひび割れが発生する等の不利を回避し易いものとなる。
【００１９】
従って、第２特徴構成によれば、熱媒通流管が早期に損傷するおそれが少なく長期にわたり熱媒の通流供給を良好に行うことが可能となる冷暖房装置を提供できるに至った。
【００２０】
本発明の第３特徴構成は、第２特徴構成に加えて、前記床支持部材が、横方向の幅よりも縦方向の幅が広幅となる縦長の断面形状となる状態で設けられ、前記熱媒通流管における前記往路部分及び前記復路部分が、前記床支持部材の横側面における下部側に位置させて支持されている点にある。
【００２１】
第３特徴構成によれば、前記床支持部材が横方向の幅よりも縦方向の幅が広幅となる縦長の断面形状となる状態で設けられ、前記床支持部材の上側には居住空間の床部を構成するための床板が載置されて、例えば釘を打ち付けたり接着剤で接着すること等により、床支持部材と床板とが連結固定されることになる。そして、前記熱媒通流管における前記往路部分及び前記復路部分が前記床支持部材の横側面における下部側に位置させて支持されることになるから、上述したような釘等の連結具により床板と床支持部材とを連結する組み付け作業を行う際に、熱媒通流管に連結具が干渉して熱媒通流管を傷つける等のおそれが少ないものになる。
【００２２】
従って、第３特徴構成によれば、床板と床支持部材とを連結する組み付け作業によって熱媒通流管を傷つけるおそれが少ない状態で熱媒通流管を配設することが可能な冷暖房装置を提供できるに至った。
【００２３】
本発明の第４特徴構成は、第３特徴構成に加えて、前記床支持部材が、上部側に位置する広幅で且つ断面略四角形状の上側受け部と、下部側に位置する広幅で且つ断面略四角形状の下側受け部と、前記上側受け部と前記下側受け部とを接続する幅狭の中間部とを備えて構成され、前記熱媒通流管における前記往路部分及び前記復路部分が、前記下側受け部の横側面に支持されている点にある。
【００２４】
第４特徴構成によれば、前記床支持部材は、上部側及び下部側に、夫々、広幅で且つ断面略四角形状の上側受け部及び下側受け部が備えられ、それら上側受け部と下側受け部とを接続する幅狭の中間部とを備えて構成されており、前記床支持部材を、床板に掛かる荷重を十分に大きな支持強度で支持することができ、例えば、無垢の木材等により縦方向全幅にわたり横幅寸法が幅広に形成されるようなものに比べて軽量で安価な部材で構成することが可能なものとなる。
【００２５】
そして、このような構成の床支持部材においては、前記上側受け部と前記中間部との間及び前記下側受け部と前記中間部との間の接続部分を接着材により接続補強することがあるが、前記熱媒通流管における前記往路部分及び前記復路部分が、前記下側受け部の横側面に支持されることから、接着材が誤って熱媒通流管に付着して熱媒通流管を損傷するおそれが少ないものにできる。
【００２６】
従って、第４特徴構成によれば、床支持部材を安価なものに構成するものでありながら、熱媒通流管を損傷するおそれが少ないものにすることが可能な冷暖房装置を提供できるに至った。
【発明を実施するための最良の形態】
【００２７】
〔第１実施形態〕
以下、本発明に係る冷暖房装置の実施形態を建物としての木造二階建て住宅に適用した場合について図面に基づいて説明する。
図１に、冷暖房装置が備えられた建物としての木造二階建て住宅の簡略化した縦断側面図を示している。この建物は周知の軸組構法により作成されるものであり、地盤１上の布基礎２が構築され、この布基礎２の上にアンカーボルトにより固定される状態で土台３が設置され、この土台３の上に柱４が立設されている。そして、前記土台３に水平方向に所定間隔をあけて並設される複数の床支持部材５が横架支持される状態で設けられ、この床支持部材５の長手方向の中間部分は地盤１上に束石６を介して立設される複数の床束７により荷重が受け止め支持される構成となっている。又、前記床支持部材５の上側には一階の居住空間Ｓ１における床部を形成するための床板８が敷設され、一階の床部が形成されることになる。尚、前記床板８は、例えば釘を打ち付けることにより、あるいは、接着剤で接着させることにより、床支持部材５の上部に固定されることになる。
【００２８】
前記柱４の上下中間部には水平方向に延びる横桟部材９が横架支持される状態で固定され、左右の横桟部材９にわたって水平方向に所定間隔をあけて並設される複数の床支持部材５が横架支持される状態で設けられ、これらの複数の床支持部材５の上側には二階の居住空間Ｓ２における床部を形成するための床板８が敷設され、二階の床部が形成されることになる。又、二階の複数の床支持部材５は吊り部材１０を介して一階の居住空間Ｓ１における天井１１を吊り下げ支持する構成となっている。
【００２９】
前記床支持部材５は、横方向の幅よりも縦方向の幅が広幅となる縦長の断面形状となる状態で設けられている。具体的には、図２及び図６に示すように、上部側に位置する広幅で且つ断面略四角形状の上側受け部５Ａと、下部側に位置する広幅で且つ断面略四角形状の下側受け部５Ｂと、前記上側受け部５Ａと前記下側受け部５Ｂとを接続する幅狭の中間部５Ｃとを備えて構成されている。
【００３０】
説明を加えると、前記床支持部材５は、前記上側受け部５Ａと前記下側受け部５Ｂとが夫々無垢の木材からなる断面形状が略四角形の角材にて構成され、前記中間部５Ｃは合板からなる板状体にて構成されている。この中間部５Ｃは上側受け部５Ａの下面に形成された凹溝１２と下側受け部５Ｂの上面に形成された凹溝１３とにわたって嵌め込み装着される。前記上側受け部５Ａや前記下側受け部５Ｂの凹溝１２，１３に対して前記中間部５Ｃは嵌め込み装着されるが、それらの接続強度を向上させるために嵌め込み箇所に接着剤を塗付することもある。
【００３１】
そして、この建物には、図１に示すように、建物の一階の居住空間Ｓ１の床下及び二階の居住空間Ｓ２の床下の夫々に熱媒としての温水が循環通流する熱媒通流管１４が配設され、その熱媒通流管１４に建物の外に設置された熱媒供給源としての熱源機１５から設定温度（例えば８０℃）に加熱された温水を循環通流させて、熱媒通流管１４からの輻射熱や床支持部材５を通して伝達される伝達熱により床面の上方空間、つまり一階の居住空間Ｓ１及び二階の居住空間Ｓ２を暖房することができるようになっている。
【００３２】
前記熱源機１５は、詳述はしないが、湯水を循環通流可能な循環通流路に湯水加熱用の熱交換器が備えられ、内装する循環ポンプにより前記循環通流路及び前記熱媒通流管１４を通して熱媒を循環通流することができるように構成され、ガス燃焼式のバーナにより熱交換器を加熱することにより設定温度に加熱された温水を熱媒通流管１４に循環通流させることができるように構成されている。
【００３３】
前記熱媒通流管１４は、例えばポリスチレン等の可撓性を有し且つ伝熱性の良い合成樹脂材にて構成されており、一階の床下及び二階の床下の夫々において、水平方向に間隔をあけて並設される複数の床支持部材５にて順次支持されて平面視で蛇行状に配設される。一階の床下及び二階の床下における熱媒通流管１４の配設構造は夫々同じであり、次のように構成されている。
【００３４】
前記熱媒通流管１４は、建物の床下に水平方向に間隔をあけて並設される複数の長尺状の床支持部材５にその長手方向に沿う状態でその床支持部材５に支持される複数の被支持部１４Ａと、隣接する前記被支持部１４Ａ同士を接続する複数の接続部１４Ｂとを備える状態で設けられている。そして、被支持部１４Ａが複数の床支持部材５のうちの１個おき床支持部材に支持される状態で配設される熱媒通流管１４が、支持対象となる床支持部材５が互いに異なり且つ並列に熱媒を通流させる状態で複数備えられ、複数の熱媒通流管１４を各別に熱媒が供給される状態と熱媒供給が停止される状態とに切り換え自在な熱媒供給状態切換手段としての通流本数切換用断続弁３０，３１が備えられている。
【００３５】
具体的には、図３に示すように、熱源機１５から供給される温水は、供給ヘッダ１６により一階用の熱媒通流管１４及び二階用の熱媒通流管１４に分配され且つ還流ヘッダ１７にて合流するように循環通流させることで、一階用の熱媒通流管１４及び二階用の熱媒通流管１４に並列状態で供給することができるように構成されている。又、一階の熱媒通流管１４及び二階の熱媒通流管１４には夫々、運転状態切り換え用の断続弁１８，１９が備えられ、各別に温水（熱媒）を供給する供給状態と供給を停止する供給停止状態とに切り換え可能に構成されている。
【００３６】
一階用の熱媒通流管１４及び二階用の熱媒通流管１４は夫々、分配ヘッダ２８により２本の熱媒通流管１４Ｘ，１４Ｙに分配され且つ合流ヘッダ２９にて合流するように循環通流させることで、２本の熱媒通流管１４Ｘ，１４Ｙに並列状態で供給することができるように構成され、分配される２本の熱媒通流管１４Ｘ，１４Ｙには各別に熱媒が供給される状態と熱媒供給が停止される状態とに切り換え自在な通流本数切換用断続弁３０,３１が備えられている。
【００３７】
前記運転状態切り換え用の断続弁１８，１９及び前記通流本数切り換え用の断続弁３０，３１は、夫々電磁操作式に構成され、図示しないリモコン装置による指令に基づいて図示しない制御手段からの制御信号に基づいて切り換え操作を行うように構成されている。つまり、１階または２階での暖房運転の開始停止の指令に基づいて運転状態切り換え用の断続弁１８，１９の切り換え操作を行い、且つ、要求熱量の違いに応じて通流本数切換用断続弁３０，３１の切り換え操作を行うように構成されている。
【００３８】
次に、前記熱媒通流管１４の配設構造について説明する。
図２に示すように、前記２本の熱媒通流管１４Ｘ，１４Ｙは夫々、建物の床下に水平方向に間隔をあけて並設される複数の長尺状の床支持部材５にその長手方向に沿う状態でその複数の被支持部１４Ａと、隣接する被支持部１４Ａ同士を接続する複数の接続部１４Ｂとを備えており、前記被支持部１４Ａが、床支持部材５の長手方向の一端側から他端側に向けて床支持部材５の横一側面に沿って延びる状態で支持される往路部分Ｌ１と、床支持部材５の長手方向の他端側にて前記往路部分Ｌ１から床支持部材５の下側を経由して床支持部材５の横他側面側に向けて平面視でループ状に屈曲する水平ループ部分Ｌ２と、床支持部材５の長手方向の前記他端側から前記一端側に向けて床支持部材５の横他側面に沿って延びる状態で支持される復路部分Ｌ３とを備えて構成されている。
【００３９】
説明を加えると、図４に示すように、一方の熱媒通流管１４Ｘは、前記供給ヘッダ１６側から延びる温水供給部１４Ｃに連なり、複数の床支持部材５のうちの並び方向の一端側に位置する１番目の床支持部材５に、前記往路部分Ｌ１、前記水平ループ部分Ｌ２及び前記復路部分Ｌ３を備える状態で長手方向に沿う状態で支持されている。そして、前記復路部分Ｌ３の前記床支持部材５の長手方向の一端側の端部と、前記並び方向の一端側から数えて３番目の床支持部材５における前記往路部分Ｌ１の前記長手方向の一端側の端部とを前記接続部１４Ｂにて接続する状態で、隣接する前記被支持部１４Ａ同士を前記接続部１４Ｂにて接続して一連に連なる熱媒通流経路が形成されている。さらに、その後は、前記並び方向の一端側から数えて５番目の床支持部材５、７番目の床支持部材５というように、１個おきの床支持部材５に順次支持される状態で配設される。
【００４０】
又、他方の熱媒通流管１４Ｙは、一方の熱媒通流管１４Ｘと同様に、前記並び方向の一端側から数えて２番目の床支持部材５を最初の床支持部材５として、次に前記並び方向の一端側から数えて４番目の床支持部材５、その次に前記並び方向の一端側から数えて６番目の床支持部材５というように、１個おきの床支持部材５に順次支持される状態で配設される。
【００４１】
前記各熱媒通流管１４Ｘ，１４Ｙは、床支持部材５における長手方向の一端部側から他端側に向けてその床支持部材５の横一側面、すなわち、前記並び方向の一端側に位置する側面に沿って延びる状態で往路部分Ｌ１が形成される。そして、その往路部分Ｌ１に連なり、且つ、床支持部材５の長手方向の他端側箇所にて前記往路部分Ｌ１から床支持部材５の下面側を経由して床支持部材５の横他側面側に平面視でループ状に屈曲する状態で延びる水平ループ部分Ｌ２が形成される。そして、その水平ループ部分Ｌ２に連なり、且つ、床支持部材５の長手方向の前記他端側から前記一端部側に向けて床支持部材５の横他側面、すなわち、前記並び方向の一端側に位置する側面に沿って延びる復路部分Ｌ３が形成される。このように、前記往路部分Ｌ１、前記水平ループ部分Ｌ２及び前記復路部分Ｌ３が一連に連なる状態で床支持部材５に支持される被支持部１４Ａが形成される。
【００４２】
前記往路部分Ｌ１及び前記復路部分Ｌ３は、夫々、図５及び図６に示すように、前記下側受け部５Ｂの横側面にビス止め状態で固定される保持具２０により支持される構成となっており、前記水平ループ部分Ｌ２は前記下側受け部５Ｂの下側面にビス止め状態で固定される保持具２０により支持される構成となっている。従って、前記熱媒通流管１４における前記往路部分Ｌ１及び前記復路部分Ｌ３が、横方向の幅よりも縦方向の幅が広幅となる縦長の断面形状となる状態で設けられている前記床支持部材５の横側面における下部側に位置させて支持される構成となっている。
【００４３】
そして、並び方向の最終側の床支持部材５に支持される被支持部１４Ａの復路部分Ｌ３に連なる状態で戻り路部分１４Ｄが形成されている。この戻り路部分１４Ｄが、前記各床支持部材５の下側受け部５Ｂの下側面にビス止め状態で固定される保持具２０により支持される状態で且つ前記並び方向に沿って延びる状態で備えられて、この戻り路部分１４Ｄの他端部が合流ヘッダ２９に接続される。
【００４４】
このようにして、被支持部１４Ａにおける復路部分Ｌ３の床支持部材５の長手方向の一端側の端部と、それに隣接する被支持部１４Ａにおける往路部分Ｌ１の床支持部材５の長手方向の一端側の端部とを接続部１４Ｂにて接続する状態で、隣接する被支持部１４Ａ同士を接続部１４Ｂにて接続して一連に連なる蛇行状の熱媒通流経路が形成されることになる。
【００４５】
前記熱媒通流管１４は、前記水平ループ部分Ｌ２が、床支持部材５の下方側の広い空間を利用して大きい曲率半径で曲げることができ、高温の温水が通流する状態と通流を停止して低温になる状態とが交互に繰り返し行われることで熱媒通流管１４が熱収縮を起こすことがあっても、大きい曲率半径で曲げられている湾曲部分においてその収縮分を吸収することができる。つまり、湾曲部分における折れ曲がり具合が少し変化することによって収縮分を吸収することが可能となるのであり、熱媒通流管１４に局部的に無理な力がかかることを抑制して、短期間の使用でひび割れが発生する等の不利を回避し易いものとなる。
【００４６】
さらに、この建物では、前記熱媒通流管１４に温水が循環通流されることにより、高温となっている床下の空気（暖気）を居住空間に導くように強制的に通風させる構成となっている。すなわち、図１及び図７に示すように、建物の横側部から外気を吸引し且つ二階の床下に給気する給気ファン２１が設けられ、一階の天井１１の一部を開口して二階の床下の暖気を一階の居住空間Ｓ１に排気する給気口２２が形成され、二階の床板８の一部を開口して二階の床下の暖気を二階の居住空間Ｓ２に排気する給気口２３が形成されている。さらに、二階には建物の側壁との間で二階の床下と連なる空間を形成するように間隔をあける状態で仕切り壁２５が形成され、前記仕切り壁２５に二階の床下の暖気を二階の居住空間Ｓ２に給気する給気口２６が形成されている。又、前記各給気口２２，２３，２６を通して暖気が供給される一階の居住空間Ｓ１及び二階の居住空間Ｓ２の空気は、建物内の図示しない通気経路を通して排気口２７に導かれて外部に排気されるようになっており、一階の居住空間Ｓ１及び二階の居住空間Ｓ２が良好に暖房されることになる。図７では、排気口２７を屋根に設ける構成を示しているが、排気口２７は別の場所であってもよい。
【００４７】
〔別実施形態〕
以下、別実施形態を列記する。
【００４８】
（１）上記実施形態では、前記被支持部１４Ａが１個おきの床支持部材５に支持される状態で２本の熱媒通流管１４が並列状態で備えられる構成としたが、前記被支持部１４Ａが複数の床支持部材５のうちの２個おき又は３個おき等、複数個おきの床支持部材５に支持される状態で３本又は４本以上の熱媒通流管１４が並列状態で備えられる構成でもよい。
【００４９】
（２）上記実施形態では、前記床支持部材５が、上部側に位置する広幅で且つ断面略四角形状の上側受け部５Ａと、下部側に位置する広幅で且つ断面略四角形状の下側受け部５Ｂと、前記上側受け部５Ａと前記下側受け部５Ｂとを接続する幅狭の中間部５Ｃとを備えて構成されるものを例示したが、このような構成に代えて、図８に示すように、上下方向の略全幅にわたって横幅寸法が同じ形状、つまり断面形状が略縦長矩形状となるものでもよい。又、前記床支持部材としては、木材にて構成されるものに代えて金属材にて構成されるものでもよい。
【００５０】
（３）上記実施形態では、建物の横側部から外気を吸引し且つ二階の床下に給気して、二階の床下の暖気を一階の居住空間Ｓ１及び二階の居住空間Ｓ２に通流させる給気ファンが設けられる構成としたが、このような構成に代えて、図９に示すように、一階の居住空間Ｓ１の空気を一階の天井１１の一端部に形成した通気口４０を通して二階の床下に通気させ、二階の床下の暖気を一階の天井１１の他端部に形成した通気口４１を通して一階の居住空間Ｓ１に通気させ、且つ、二階の床下の暖気を二階の床板８に形成した通気口４２、及び、仕切り壁２５に形成した通気口４３を通して二階の居住空間Ｓ２に通気させ、二階の居住空間Ｓ２の空気を二階の床板８に形成した通気口４４を通して二階の床下に通気させるように、循環通風させる循環ファン４５を備える構成としてもよい。
【００５１】
（４）上記実施形態では、一階の床下及び二階の床下の夫々に熱媒通流管１４を備える構成としたが、このような構成に代えて、図１０及び図１１に示すように、二階の床下のみに熱媒通流管１４を備える構成としてもよい。又、一階の床下のみに熱媒通流管１４を備える構成としてもよい。
【００５２】
（５）上記実施形態では、前記水平ループ部分Ｌ２が、前記往路部分Ｌ１から前記床支持部材５の下面側を経由して床支持部材５の横他側面側に平面視でループ状に屈曲する状態で延びる構成としたが、このように前記床支持部材の下面側を経由するものに限らず、例えば、床支持部材と土台との間の隙間に形成された挿通孔等を挿通する状態で平面視でループ状に屈曲する状態で延びる構成するものでもよい。
【００５３】
（６）上記実施形態では、前記熱媒供給状態切換手段が、床支持部材に支持される熱媒通流管への熱媒供給だけを切り換える構成としたが、この熱媒供給状態切換手段は、床面の上部側に設置される周知構成の熱媒循環式の床暖房パネルへの熱媒供給の切り換えにも適用可能である。
【００５４】
（７）上記実施形態では、前記熱媒通流管に前記熱媒供給源としての熱源機から暖房用の熱媒が循環通流する構成としたが、前記熱媒通流管に前記熱媒供給源としての冷水供給機から冷房用の熱媒が循環通流する構成として、その熱媒通流管の周囲の冷気を給気ファンや循環ファンにより居住空間に通気させることで居住空間を冷房する構成としてもよい。
【００５５】
（８）上記実施形態では、前記冷暖房装置を建物としての木造二階建て住宅に適用した場合について説明したが、建物としては、木造平屋建て住宅でもよく、又、木造住宅に限らずコンクリートを躯体とする集合住宅にも適用できる。
【図面の簡単な説明】
【００５６】
【図１】建物の縦断側面図
【図２】熱媒通流管の配設状態を示す一部切欠斜視図
【図３】熱媒通流管の配管構成を示す図
【図４】熱媒通流管の支持構成を示す平面図
【図５】熱媒通流管の支持構成を示す側面図
【図６】熱媒通流管の支持構成を示す縦断面図
【図７】建物の換気構成を示す図
【図８】別実施形態の熱媒通流管の支持構成を示す斜視図
【図９】別実施形態の建物の換気構成を示す図
【図１０】別実施形態の建物の換気構成を示す図
【図１１】別実施形態の建物の換気構成を示す図
【符号の説明】
【００５７】
５              床支持部材
５Ａ            上側受け部
５Ｂ            下側受け部
５Ｃ            中間部
１４            熱媒通流管
１４Ａ          被支持部
１４Ｂ          接続部
１５            熱媒供給源
３０，３１      熱媒供給状態切換手段
Ｌ１            往路部分
Ｌ２            平面ループ部分
Ｌ３            復路部分
【図１】
0005192855.tif 000002
【図２】
0005192855.tif 000003
【図３】
0005192855.tif 000004
【図４】
0005192855.tif 000005
【図５】
0005192855.tif 000006
【図６】
0005192855.tif 000007
【図７】
0005192855.tif 000008
【図８】
0005192855.tif 000009
【図９】
0005192855.tif 000010
【図１０】
0005192855.tif 000011
【図１１】
0005192855.tif 000012